(57)【要約】指検出デバイスは自身に隣接するユーザの指を受けるための複数の指検出画素のアレイを含みうる。各指検出画素は指検出電極を含みうる。指検出デバイスはユーザの指を通じた駆動信号を指検出画素のアレイに結合するように構成された指駆動電極を含みうる。指検出デバイスは指検出画素のアレイに結合された差動画素測定回路であって、指検出画素の複数の隣接ペアについて複数の画素間差分測定結果を生成するように構成された差動画素測定回路を有しうる。
2013541773.tif 000002
【特許請求の範囲】
【請求項１】
それぞれが指検出電極を有し、自身に隣接するユーザの指を受けるための複数の指検出画素のアレイと、
前記ユーザの指を通じた駆動信号を前記指検出画素のアレイに結合するように構成された指駆動電極と、
前記指検出画素のアレイに結合された差動画素測定回路であって、前記指検出画素の複数の隣接ペアについて複数の画素間差分測定結果を生成するように構成された差動画素測定回路とを備えることを特徴とする指検出デバイス。
【請求項２】
１００〜９００マイクロメートルの範囲の厚さを有し、前記指検出画素を覆うカバー層を更に備えることを特徴とする請求項１に記載の指検出デバイス。
【請求項３】
前記差動画素測定回路は平衡差動画素測定回路を含むことを特徴とする請求項１に記載の指検出デバイス。
【請求項４】
前記平衡差動画素測定回路は、
各指検出画素の各指検出電極に結合された個別の差動増幅段と、
前記指検出画素の前記複数の隣接ペアについて差動構成において差動増幅段の個別のペアを選択的に結合するスイッチング回路と、
前記スイッチング回路に結合された出力段とを含むことを特徴とする請求項３に記載の指検出デバイス。
【請求項５】
前記指検出画素のアレイは、指検出画素の行及び列を含み、
前記差動画素測定回路は、前記指検出画素のアレイの行及び列の両方に沿った前記指検出画素の複数の隣接ペアについて前記複数の画素間差分測定結果を生成するためのスイッチング回路を含むことを特徴とする請求項１に記載の指検出デバイス。
【請求項６】
前記差動画素測定回路に結合された画像生成回路であって、前記指検出画素のアレイの行及び列の両方に沿った前記指検出画素の複数の隣接ペアについての前記複数の画素間差分測定結果に基づいて合成指画像を生成するように構成された画像生成回路を更に備えることを特徴とする請求項５に記載の指検出デバイス。
【請求項７】
前記画像生成回路は前記差動画素測定回路に結合されたカーネルフィルタリング回路を含むことを特徴とする請求項６に記載の指検出デバイス。
【請求項８】
半導体基板を更に備え、
前記指検出画素のアレイは前記半導体基板上にあることを特徴とする請求項１に記載の指検出デバイス。
【請求項９】
前記指駆動電極に結合された高周波駆動信号生成器を更に備えることを特徴とする請求項１に記載の指検出デバイス。
【請求項１０】
それぞれが指検出電極を有し、自身に隣接するユーザの指を受けるための複数の指検出画素のアレイと、
前記ユーザの指を通じた駆動信号を前記指検出画素のアレイに結合するように構成された指駆動電極と、
前記指検出画素のアレイに結合された平衡差動画素測定回路であって、前記指検出画素の複数の隣接ペアについて複数の画素間差分測定結果を生成するように構成された平衡差動画素測定回路と、
１００〜９００マイクロメートルの範囲の厚さを有し、前記指検出画素を覆うカバー層とを備えることを特徴とする指検出デバイス。
【請求項１１】
前記平衡差動画素測定回路は、
各指検出画素の各指検出電極に結合された個別の差動増幅段と、
前記指検出画素の前記複数の隣接ペアについて差動構成において差動増幅段の個別のペアを選択的に結合するスイッチング回路と、
前記スイッチング回路に結合された出力段とを含むことを特徴とする請求項１０に記載の指検出デバイス。
【請求項１２】
前記指検出画素のアレイは、指検出画素の行及び列を含み、
前記平衡差動画素測定回路は、前記指検出画素のアレイの行及び列の両方に沿った前記指検出画素の複数の隣接ペアについて前記複数の画素間差分測定結果を生成するためのスイッチング回路を含むことを特徴とする請求項１０に記載の指検出デバイス。
【請求項１３】
前記平衡差動画素測定回路に結合された画像生成回路であって、前記指検出画素のアレイの行及び列の両方に沿った前記指検出画素の複数の隣接ペアについての前記複数の画素間差分測定結果に基づいて合成指画像を生成するように構成された画像生成回路を更に備えることを特徴とする請求項１２に記載の指検出デバイス。
【請求項１４】
前記画像生成回路は前記平衡差動画素測定回路に結合されたカーネルフィルタリング回路を含むことを特徴とする請求項１３に記載の指検出デバイス。
【請求項１５】
半導体基板を更に備え、
前記指検出画素のアレイは前記半導体基板上にあることを特徴とする請求項１０に記載の指検出デバイス。
【請求項１６】
前記指駆動電極に結合された高周波駆動信号生成器を更に備えることを特徴とする請求項１０に記載の指検出デバイス。
【請求項１７】
指を検出する方法であって、
それぞれが指検出電極を有する複数の指検出画素のアレイに隣接するユーザの指を受ける工程と、
前記ユーザの指を通じた駆動信号を指駆動電極を介して前記指検出画素のアレイに結合する工程と、
前記指検出画素のアレイに結合された差動画素測定回路を用いて、前記指検出画素の複数の隣接ペアについて複数の画素間差分測定結果を生成する工程とを有することを特徴とする方法。
【請求項１８】
１００〜９００マイクロメートルの範囲の厚さを有し、指検出電極を覆うカバー層を更に備えることを特徴とする請求項１７に記載の方法。
【請求項１９】
前記差動画素測定回路は平衡差動画素測定回路を含むことを特徴とする請求項１７に記載の方法。
【請求項２０】
前記平衡差動画素測定回路は、
各指検出画素の各指検出電極に結合された個別の差動増幅段と、
前記指検出画素の前記複数の隣接ペアについて差動構成において差動増幅段の個別のペアを選択的に結合するスイッチング回路と、
前記スイッチング回路に結合された出力段とを含むことを特徴とする請求項１９に記載の方法。
【請求項２１】
前記指検出画素のアレイは、指検出画素の行及び列を含み、
前記複数の画素間差分測定結果は、前記指検出画素のアレイの行及び列の両方に沿った前記指検出画素の複数の隣接ペアについて生成されることを特徴とする請求項１７に記載の方法。
【請求項２２】
前記差動画素測定回路に結合された画像生成回路を介して、前記指検出画素のアレイの行及び列の両方に沿った前記指検出画素の複数の隣接ペアについての前記複数の画素間差分測定結果に基づいて合成指画像を生成する工程を更に有することを特徴とする請求項２１に記載の方法。
【請求項２３】
前記合成指画像は前記差動画素測定回路に結合されたカーネルフィルタリング回路を介して生成されることを特徴とする請求項２２に記載の方法。
【発明の詳細な説明】
【技術分野】
【０００１】
本発明は電子機器の分野に関し、より具体的に指検出デバイス及び関連する方法に関する。
【背景技術】
【０００２】
指紋検出及び照合は個人の識別又は検証のための高信頼かつ広く用いられている技術である。特に、指紋識別の一般的なアプローチは、サンプルの指紋又はその画像をスキャンし、画像及び／又は指紋の画像に一意の特徴を格納することを含む。サンプルの指紋の特徴は、例えば検証目的で人の適切な識別を判定するために既にデータベースにある参照用指紋についての情報と比較されうる。
【０００３】
近年、指紋パターンの電子表現を発展させるために高周波（ＲＦ）電界を用いて高品質電子指紋センサデバイスを構築することが実用的且つ経済的になってきている。このようなデバイスは単結晶シリコン基板上の標準ＣＭＯＳ集積回路として製造される。これらのプロセッサにより、センサの画素又は検出電極のそれぞれから信号を読み出すために必要な電子構造体を画素の直下に製造することが可能になる。画素の下に信号調整電子機器又はセンサアンプを配置することは、回路の適切な性能のために重要であった。
【０００４】
このようなＲＦ指紋検出デバイスの１つが特許文献１に開示され、本願の譲受人に譲渡される。この特許は指紋の皮膚紋理及び谷の正確な画像を提供するためにＲＦ検出電極のアレイを含む集積回路指紋センサを開示する。より具体的に、ＲＦ検出は、例えば成りすましを低減するために、皮膚表面の直下の生きている組織の画像化を可能にする。特許文献１の内容全体が参照により本明細書に組み込まれる。
【０００５】
指紋検出デバイスの別の例が特許文献２に開示される。指紋検出デバイスは、行導電体及び列導電体の集合によってそれぞれ駆動回路及び検知回路に結合される検知素子の行列アレイを有する。検知素子は、駆動回路によってアクティブにアドレス指定可能である。各検知素子は、検知電極と、検知電極のアクティブアドレス指定のための薄膜トランジスタ（ＴＦＴ）スイッチングデバイスのようなスイッチングデバイスとを含む。検知電極は絶縁体で覆われ、指を受けるためのものである。検知電極に電位を印加し、帯電特性を測定することによって、検知電極との組み合わせで個別の指の表面部に生じる容量が検出される。
【０００６】
歴史的に、電子集積回路は、小さな電子デバイス配置での製造プロセスを用いることによって、製造コストを徐々に低減してきた。小さなデバイス配置では、回路自体も小さくなり、使われるシリコンが少なくなり、それ故、製造コストも低くなる。しかし、電子指紋センサは一般に、画像化される必要のある指の皮膚の面積よりも小さくすることができない。小さなコンポーネント配置は、指紋センサのダイサイズ又はコストを大幅に低減できないかもしれない。小さなコンポーネント配置の単なる結果の１つは、センサ画素の下のシリコン領域が未使用になることでありうる。
【０００７】
指紋センサのコストを低減するための１つのアプローチは、皮膚の小面積の画像を用いて効率的に動作しうるシステムを設計することである。このアプローチは様々なデバイスで用いられてきた。第２のアプローチはスライドセンサを用いることである。スライドセンサでは、指又はセンサのいずれかがデータ取得処理の間に移動し、小さなセンサが指のより大きな部分の画像を生成することを可能にする。しかし、スライドセンサは著しい画像歪みを被りやすく、及び／又は不便なユーザパラダイムを与えうる。
【０００８】
画像の歪み又はノイズは、指検出画素のアレイから比較的遠くに位置する指からの指画像を検出することが望まれうる場合にも存在しうる。例えば、成形プラスチック構造のような非常に厚い誘電体を通じて指を画像化できるように、電界ベースの指センサの範囲を広げることが望まれうる。
【０００９】
例えばラップトップコンピュータやセルラ電話機のような個人用電子デバイスで用いられる集積回路ベースの指紋センサは、一般にユーザ識別認証のために効率的に指を検出しうる。しかし、これらの指センサは一般に、指検出画素のアレイの非常に近くに指が置かれる必要がある。ユーザの指への接近の必要性は、典型的に、機械的パッケージング及びこれらのデバイスのホスト製品への統合をより困難且つ高価にする。
【００１０】
これらのデバイスの集積回路パッケージングに対処する一部のアプローチは、例えば指がアレイに接近することを可能にする開口を成形物内に有する特別な成形パッケージと、検出アレイの近くに指が位置することを可能にする薄い可撓性回路基板上の特別なパッケージングとを含む。特別なパッケージングはこれらのセンサのコストを増大する。
【００１１】
指検出画素のアレイの近くにユーザの指があることの必要性は、このアレイの上に配置可能な材料の厚さを制限し、このことは、アレイエリアの上の保護コーティング及び装飾コーティングの両方の使用をますます制限しうる。典型的に、これらのセンサをそのホストデバイスに機械的に統合することは、指検出画素のアレイがケースの外面と大よそ同一平面に位置可能なように、ホストデバイスのケースの穴を通じて指センサが突出することを要求する。
【００１２】
しかしながら、これらの搭載構成の負の側面は、ホストデバイスケース内の指センサのための開口を湿気、埃及び他の汚染物質の進入から封止するために困難さ及びコストが増大することを含みうる。さらに、指センサが突出したケース内の開口は、ホストデバイスの意図した外観に対して装飾的に受け入れられないかもしれず、ケース内の開口に指センサを搭載することは、一部のデバイスでは困難でありコストがかかるかもしれない。
【先行技術文献】
【特許文献】
【００１３】
【特許文献１】米国特許第５，９４０，５２６号明細書
【特許文献２】米国特許第５，３２５，４４２号明細書
【特許文献３】米国特許第６，０６７，３６８号明細書
【発明の概要】
【発明が解決しようとする課題】
【００１４】
従って、前述の背景を考慮して、本発明の目的は、指検出画素のアレイから比較的遠くに位置する指からノイズの少ない指画像を生成可能な指検出デバイスを提供することである。
【課題を解決するための手段】
【００１５】
この目的、機能及び本発明による利点並びに他の目的、機能及び利点は、自身に隣接するユーザの指を受けるための複数の指検出画素のアレイを含みうる指検出デバイスによって提供されうる。各指検出画素は指検出デバイス指検出電極を含みうる。前記指検出デバイスは、前記ユーザの指を通じた駆動信号を前記指検出画素のアレイに結合するように構成された指駆動電極と、前記指検出画素のアレイに結合された差動画素測定回路であって、前記指検出画素の複数の隣接ペアについて複数の画素間差分測定結果を生成するように構成された差動画素測定回路とを含みうる。従って、指検出デバイスは指センサ画素アレイから比較的遠くに位置する指からノイズの低減された指画像を生成しうる。
【００１６】
指検出デバイスは例えば、１００〜９００マイクロメートルの範囲の厚さを有し、前記指検出画素を覆うカバー層を更に含みうる。前記差動画素測定回路は平衡差動画素測定回路を含みうる。前記平衡差動画素測定回路は、各指検出画素の各指検出電極に結合された個別の差動増幅段と、前記指検出画素の前記複数の隣接ペアについて差動構成において差動増幅段の個別のペアを選択的に結合するスイッチング回路とを含みうる。前記平衡差動画素測定回路は例えば、前記スイッチング回路に結合された出力段とを含みうる。
【００１７】
前記指検出画素のアレイは、指検出画素の行及び列を含みうる。前記差動画素測定回路は例えば、前記指検出画素のアレイの行及び列の両方に沿った前記指検出画素の複数の隣接ペアについて前記複数の画素間差分測定結果を生成するためのスイッチング回路を含みうる。前記指検出デバイスは例えば、前記差動画素測定回路に結合された画像生成回路であって、前記指検出画素のアレイの行及び列の両方に沿った前記指検出画素の複数の隣接ペアについての前記複数の画素間差分測定結果に基づいて合成指画像を生成するように構成された画像生成回路を更に含みうる。
【００１８】
前記画像生成回路は前記差動画素測定回路に結合されたカーネルフィルタリング回路を更に含みうる。前記指検出デバイスは例えば、半導体基板を更に復位うる。前記指検出画素のアレイは前記半導体基板上にありうる。前記指検出デバイスは前記指駆動電極に結合された高周波駆動信号生成器を更に含みうる。
【００１９】
方法の側面は、それぞれが指検出電極を有する複数の指検出画素のアレイに隣接するユーザの指を受ける工程を含みうる、指を検出する方法を対象とする。前記方法は、前記ユーザの指を通じた駆動信号を指駆動電極を介して前記指検出画素のアレイに結合する工程を更に含みうる。前記方法は例えば、前記指検出画素のアレイに結合された差動画素測定回路を用いて、前記指検出画素の複数の隣接ペアについて複数の画素間差分測定結果を生成する工程を更に含みうる。
【図面の簡単な説明】
【００２０】
【図１】本発明に係る指検出デバイスの概略ブロック図である。
【図２】駆動信号減衰に対する皮膚電気特性のグラフである。
【図３】直接の駆動指接触構成及び絶縁された駆動指接触構成についての駆動信号減衰に対する皮膚電気特性のグラフである。
【図４】２次元平面における電界強度のグラフである。
【図５】指検出画素の様々なサイズのアレイについての指検出画素のアレイからの距離に対する変調比のグラフである。
【図６】本発明の指検出デバイスとともに用いる重み付きメジアンフィルタのアナログ実装の概略図である。
【図７Ａ】、
【図７Ｂ】、
【図７Ｃ】指検出画素のアレイからの距離について低空間周波数の効果を説明する指紋画像である。
【図８】本発明に係る指検出画素の１次元アレイを有する指検出デバイスの一部の概略図である。
【図９】本発明の別の実施形態に係る指検出画素の２次元アレイを有する指検出デバイスの一部の概略図である。
【図１０Ａ】、
【図１０Ｂ】、
【図１０Ｃ】水平方向の差及び垂直方向の差分を示す指紋画像である。
【図１１】本発明の別の実施形態に係る指検出デバイスの概略ブロック図である。
【図１２】図１１の指検出デバイスの一部の概略回路図である。
【図１３Ａ】、
【図１３Ｂ】、
【図１３Ｃ】、
【図１３Ｄ】、
【図１３Ｅ】、
【図１３Ｆ】本発明に係る指検出デバイスの指検出画素のアレイについて取りうるスキャンパターンの概略説明図である。
【図１４Ａ】垂直方向の画素差分から抽出された隆線配向ベクトルを含む指紋画像の大幅な拡大図である。
【図１４Ｂ】水平方向の画素差分から抽出された隆線配向ベクトルを含む指紋画像の大幅な拡大図である。
【図１５】別の実施形態に係る指検出デバイスの概略ブロック図である。
【図１６】図１５の実施形態に係るカーネルベースの再構築を説明する概略図である。
【図１７】本発明の実施形態の指検出デバイスを含むオーバーモールドパッケージ構成の概略図である。
【図１８】本発明の実施形態の指検出デバイスを含む標準的なプッシュボタンパッケージ構成の概略図である。
【発明を実施するための形態】
【００２１】
本発明の好適な実施形態が示される添付の図面を参照しつつ、以下に本発明が十分に説明される。しかしながら、本発明は多くの異なる形式で実施されてもよく、本明細書で説明される実施形態に限定されるものと解釈されるべきではない。むしろ、本開示が詳細であり完成しており、当業者に本発明の範囲が十分に伝わるように、これらの実施形態が提供される。明細書を通じて同様の要素に同様の番号が付され、ダッシュ記号及び複数ダッシュ記号は代替の実施形態における同様の要素を示すために用いられる。
【００２２】
最初に図１を参照して、指検出デバイス２０は、自身に隣接するユーザの指２１を受けるための指検出画素アレイ３０を含む。指検出画素アレイ３０は半導体基板２２により支持される。当業者に理解されるように、指検出画素アレイ３０は任意のアレイサイズであってもよい。各指検出画素３１は電界検出画素であってもよい。一部の実施形態では、各指検出画素は例えば容量検出画素であってもよし、他のタイプの検出画素であってもよい。各指検出画素３１は指検出電極３２を含む。指駆動回路３３は、ユーザの指２１を通じた駆動信号を指検出画素アレイ３０に結合するように構成される。当然のことながら、指駆動電極３３は２本以上のユーザの指を通じた駆動信号を結合してもよく、２つ以上の指駆動電極が用いられてもよい。高周波駆動信号生成器３６は指駆動電極３３に結合される。
【００２３】
当業者に理解されるように、指検出デバイス２０は、指駆動電極３３からの小さな電気信号をユーザの指２１の皮膚の導電層に注入することによって動作する。その後、当該皮膚の導電層により生成される電界の形状が測定される。
【００２４】
指駆動電極３３は２つの方向のうちの一方で小さな電気信号をユーザの指に注入するように構成されてもよい。指駆動電極３３は、コンタクト電極指駆動として動作するように構成されてもよい。これに代えて又はこれに加えて、指駆動電極３３は絶縁電極指駆動として動作するように構成されてもよい。指駆動電極３３は例えば電磁誘導技術のような他の技術を用いて動作するように構成されてもよい。
【００２５】
指駆動電極３３がコンタクト電極指駆動として動作するように構成される場合に、導電面は、ユーザの指２１の表面と直接の電気的接触を行う。指駆動電極３３上の電気信号は減衰の程度を変えながらユーザの指２１に結合され、当該減衰は指・電極間接触面積の大きさと、指の皮膚自体の電気特性とに依存する。指の皮膚の電気特性は人ごと及び時間ごとに数ケタの大きさの範囲で変わりうることに留意されたい。
【００２６】
図２のグラフに示される曲線８１、８２、８３、８４は電気モデリングにより導出され、接触面積及び皮膚電気特性の関数としてユーザの指２１の内部の駆動信号減衰を示す。皮膚の電気特性は、図の左端にある非常に厚い乾いた皮膚からグラフの右端にある薄く湿った皮膚までの範囲を取る。４つの異なる曲線は４つの異なる指接触面積を表し、一番上の曲線８１が最大面積を表し、一番下の曲線８４が最小面積を表す。
【００２７】
指駆動電極３３が絶縁電極指駆動として構成される場合に、導電電極は絶縁体の厚さによってユーザの指２１の表面から分離される。絶縁電極上の電気信号は付近の指の表面に容量結合する。絶縁電極について、結合に起因する信号減衰は、電極に近い指の領域の面積、電極と指との間の絶縁体の厚さ、当該絶縁体の電気特性及び指の皮膚自体の電気特性を含むいくつかのパラメータの組み合わせに依存する。
【００２８】
電気モデリングで導出される図３のグラフに示される曲線は、指の皮膚の電気特性の範囲で、直接接触指駆動構成８５、８６、８７、８８についての指駆動信号減衰と、典型的な絶縁指駆動構成８９、９０、９１、９２についての指駆動信号減衰とを比較する。
【００２９】
絶縁指駆動システムは、乾いた厚い皮膚の指と湿った薄い皮膚の指との間の駆動信号減衰の変動を低減する傾向にあることに注目することが重要でありうる。上記の例では、絶縁駆動は、直接駆動システムの半分のダイナミックレンジで指の皮膚の変動を対処する。一般に、平均減衰の差を克服するために固定電圧ブーストが絶縁指駆動電極システムに適用されるならば、結果として生じるシステムでは、曲線８９、９０、９１、９２によって示されるような直接駆動システムよりも、指の皮膚の変動を扱うために要求されるダイナミックレンジが著しく小さくなりうる。この構成は、当業者に理解されるように、厚い絶縁体を通じて指を画像化する際に大きなシステムダイナミックレンジを維持することの問題を低減する。
【００３０】
指検出画素アレイ３０は、指検出画素の行及び列を含む。指検出画素３１の２次元アレイは、離れた対象物、例えばユーザの指２１によって影響を受けているエネルギー場の強度を測定することによって、離れた物体の形状を測定するために用いられることがある。典型的に、アレイ３０の各画素３１によって測定されるエネルギーは、離れた物体の画像における画素値を設定するために用いられる。このようなリモート検出の例は、センサアレイに接していないが、様々な厚さの保護部材によって当該アレイから分離されている指の指紋パターンの測定である。このタイプの典型的なシステムでは、形状情報（基礎フィールドに加えられた空間信号）は、対象物が指検出画素のアレイから遠くに移動するにつれて、減衰する。
【００３１】
ユーザの指がセンサアレイからかなり遠くにある場合にユーザの指の形状情報を表す減衰した空間信号をより効率的に測定するために、指検出デバイス２０'は差動画素測定回路４０を含み、差動画素測定回路４０は指検出画素アレイ３０に結合され、指検出画素３１の隣接ペアについて複数の画素間差分測定結果を生成するように構成される。
【００３２】
以下に詳細に説明されるように、差動画素測定回路４０は、大きな全体信号を有する指検出画素３１間の非常に小さな信号差分から形状情報を測定し、強い低空間周波数信号の存在のもとで減衰した高空間周波数信号を測定することの問題に有利に対処する。差分測定回路４０はまた、ノイズを低減しつつ弱い空間信号を有利に測定する。当業者に理解されるように、差動画素測定回路４０は上述の目的を達成するために空間アナログ・デルタシグマ時系列測定結果を使用しうる。
【００３３】
距離による形状情報の減衰は、指紋を測定するために用いられる電界指検出画素のアレイでより顕著である。これらの指検出デバイスで用いられるもののようなＲＦ電界は、単純な拡散場としてモデル化され、空間情報減衰はこのようなモデルで分析されうる。
【００３４】
図４のグラフは２Ｄ平面での場の強さの説明として、場拡散シミュレーションの結果を示す。このグラフでは、形状情報保持量は、空間サイン波のピークと谷との間の差分である。グラフは、ソースからの距離が増加するにつれて、空間変化する電界の強度ソース（グラフの右側にある）によって生成される場がどのように減衰するかを示す。このシミュレーションは、指検出画素アレイから離れた指紋パターンの形状をより正確に測定するために対処されるべき問題の一部を説明する。
【００３５】
さらに、場信号の形状情報の減衰は、様々な空間周波数での情報について一様でないかもしれない。集束メカニズムを使用しない電界ベースの指検出画素を含む指検出デバイスでは、周知の場拡散方程式に従って、低空間周波数よりも高空間周波数の方が典型的に減衰する。曲線９３、９４、９５、９６はそれぞれ、１６画素、８画素、４画素、２画素について距離に対する変調比を説明する。図５のグラフは測定される形状の空間周波数成分に減衰がどのように依存するかを示すシミュレーション結果を説明する。図５のグラフはｙ軸に相対信号強度の正規化された指標として変調比を用いる。大きなサイズ（このシミュレーションでは１６画素）の特徴点９３は最低の空間周波数を有し、距離の増加とともに最小の減衰を受ける。
【００３６】
図４のグラフに基づいて、形状信号（ピークと谷との間の差分）は、場の平均値よりも遥かに速くグラフ上で左へ動くにつれて減衰する。結果として、遠くの指検出画素アレイでの信号は、はるかに大きな平均信号の存在のもとで、非常に小さな画素間差分を有しうる。究極的に、指紋パターン形状を再生するために、大きな画素全体信号から小さなピーク・谷間差分が抽出されうる。
【００３７】
小さな差分信号は、指検出デバイス内のいくつかの点で大きな全体信号から抽出されうる。抽出関数の取りうる位置のそれぞれは、様々な利点及び不利益を有しうる。最良の選択はシステムの固有の詳細に依存し、指検出デバイスとは異なりうる。大きな信号間の小さな差分として表される情報を伝達するシステム全体の一部が大きなダイナミックレンジを有しなければならないという制約が特に関心を引く。小さな画素間信号を抽出する（か、反対に大きな共通信号を無効にする）処理を処理チェーンの早期に置くことによって、抽出／無効ポイントでの複雑さに関する何らかの増加を犠牲にして、指検出デバイスの残りのダイナミックレンジが低減されうる。
【００３８】
センサ自体で又は増幅段で（上述の）大きな共通信号を抑制することは、ダウンストリーム信号処理及び画像処理のダイナミックレンジの低減に有用でありうる。１つの方法では、励起信号（又はアレイにわたる受信信号の平均）の反転バージョン（又は場合によってはＡＣセンサの位相シフトバージョン）を指検出画素のアレイに等しく適用する。オプションとして、反転信号の振幅は最適ヌルを達成するために画像化中に調整されてもよい。後続の増幅段に供給される結果の信号は、大きな共通モード信号の大部分を除去し、結果として小さな画素間変動は増幅器からの過度なダイナミックレンジを要求することなく増幅されうる。
【００３９】
当業者に理解されるように、電界ベースの指検出デバイスでは、反転信号を伝達する小さな電極をアンテナ板の下に配することによって、反転信号は電界検出画素アンテナに直接に注入されうる。アンテナにおいて比較的強い共通信号を抑制することによって、飽和をほとんど意識することなく高ゲインで低ノイズな検知増幅器が用いられうる。
【００４０】
指検出画素のアレイで大きな平均信号を抑制するための反転信号挿入メカニズムは、センサアンプ入力でみられる共通モード電圧を制限しうるために後述のメカニズムが採用される場合であっても有利である。
【００４１】
１つの実装では、指検出画素のグループからの平均受信信号は信号を確立するために用いられてもよく、この信号はその後、抑制信号ソースとして用いられる。このメカニズムにより、検出画素アレイが状況に応じて抑制信号を変えることによって異なる信号全体レベルを適用できるようになる。平均信号を生成する１つの方法は、現在スキャンされていないかもしれない指検出画素のグループを相互接続し、この相互接続された画素のグループで生成された平均信号を測定することである。実世界での使用では、指検出画素の物理的アレイは典型的に、正常に機能していない少数の画素を含む。指検出デバイスは、正常に機能しない画素にもかかわらず可能な最小の歪み量で動作し続けるべきである。少数の画素の故障に平均信号よりも影響を受けにくい中心傾向信号を計算する１つの方法は、メジアン信号を生成することである。
【００４２】
ここで、図６の概略図をさらに参照して、アーキテクチャのアナログ部において大きな共通信号を抑止するために有用な信号を生成できる重み付きメジアンフィルタとして動作するフィルタ回路６０が説明される。フィルタ回路６０は指検出デバイス２０において単体で用いられてもよいし、例えば後述される差動測定回路４０のような別のフィルタ又はフィルタリング技術とともに用いられてもよい。フィルタ回路６０は差動増幅器６１ａ〜６１ｋと、各指検出画素に結合される対応する抵抗器６２ａ〜６２ｋとを含む。画素重み付け係数は、電流加算抵抗器６２の相対値によって決定されうる。加算抵抗器６２にかかる電圧Ｖrxは、Ｖrx＝Ｖ＋（Ｖpx＞Ｖｍの場合）及びＶrx＝Ｖ−（Ｖpx≦Ｖｍの場合）によって決定される。Ｖｍはメジアン電圧であり、Ｖpは画素給電電圧である。重み付きメジアンフィルタは、Σ（Ｖm−Ｖｍ）＊Ｒn＝０（ｎ＝１〜ｋ）として表されうる。
【００４３】
図５のグラフから読み取れるように、特定の距離でリモート形状を表す信号に見られる減衰の量は、当該形状情報の空間周波数成分の関数として変わりうる。従って、リモート形状の正確な測定は、空間周波数鋭敏補償、すなわち本質的に空間フィルタリングを必要としうる。
【００４４】
空間周波数補償は指検出デバイス内のいくつかの異なる位置で実行されうる。空間フィルタリングは指検出画素のアレイで直接に適用されてもよいし、アナログ増幅段で適用されてもよいし、画像生成・処理段でデータ変換後にデジタルで適用されてもよい。空間周波数補償の段アップストリームについての大きなダイナミックレンジと、必要なダイナミックレンジでの低減に対する信号フローにおける早期の補償の協力のコストとに関して上述のもとの同種のトレードオフがこの場合も生じる。
【００４５】
図７ａ〜図７ｃをさらに参照して、センサアレイから離れた指紋の測定結果における不要な強い低空間周波数情報の影響を説明する。図７ａは指検出画素アレイに隣接して測定されたユーザの指の指紋を説明する。図７ｂはユーザの指から比較的離れた指検出画素アレイによって測定された同じユーザの指を説明する。指紋周波数よりも低い空間周波数での支配的なエネルギーが説明される。図７ｃはデジタル空間フィルタリング後の同じ指紋を説明する。実例として、デジタル空間フィルタリングは４ビットグレイスケール画像から十分な隆線パターンを抽出できなかった。
【００４６】
デジタル画像の空間フィルタリングは当業者によく理解されており、指検出デバイスの画像処理段で適用されうる。空間周波数補償は、アレイ内の複数のセンサからの信号を、フィルタリングのための畳み込みカーネル関数を実装するように構成されたアナログ加算・差分ブロックに適用することによって、指検出画素及び増幅器レベルで適用されうる。
【００４７】
セトラックらによる特許文献３（これは、参照によって全体が本明細書に組み込まれる）に記載されるもののようなパッシブインピーダンス平面は、空間ハイパスフィルタとして動作するように構成されてもよいし、空間周波数補償の一形式を提供するように、アンシャープマスクフィルタとして動作するように構成されてもよい。当業者に理解されるように、空間フィルタの様々なアナログ実装及びデジタル実装が適用されうる。
【００４８】
さらに、システムフロントエンドダイナミックレンジの支配から低空間周波数信号を低減し、画像処理段で空間周波数補償された形状信号の構築を可能にするために、後述される差動画素測定回路４０を介する差動画素測定のような方法が適用されうる。
【００４９】
指検出デバイスが測定する信号が小さいほど、ノイズを排除又は無効化する能力がますます重要になる。例えば、指検出デバイスのセンサ段に関する共通のノイズソースは、外部干渉と、励起ノイズと、固有センサノイズと、指検出画素アレイからの固定パターンノイズと、接地電位ノイズとを含みうる。センサ段でのノイズソースに対処するために取りうるノイズ管理技術は、（後述される）平衡差動測定及び相関二重サンプリングを含みうる。
【００５０】
指検出デバイスの増幅・信号処理段に関して、共通ノイズソースは、サンプリング・スイッチングノイズと、温度ノイズ及び固定パターンノイズを含みうる行列ノイズと、パワーレールノイズと、温度ノイズ及び固定パターンノイズを含みうるコンポーネント固有ノイズとを含みうる。増幅・信号処理段でのノイズソースに対処するために取りうるノイズ管理技術は、差動増幅・信号処理と、信号統合と、時間・空間帯域幅制限と、校正・補償と、パワーレール分離とを含みうる。
【００５１】
指検出デバイスのデータ変換段に関して、共通ノイズソースは、量子化ノイズと、参照ノイズと、スイッチングノイズとを含みうる。変換段でのノイズソースに対処するためのアプローチは、高解像度データ変換と、マルチサンプル平均化とを含む。指処理デバイスの画像処理段では、ノイズ管理アプローチは、空間フィルタリング・最適等化と、フレーム平均化と、ヒューリスティック推定と、特徴再構築とを含みうる。当然ながら、当業者に理解されるように、指検出デバイスの様々な段のそれぞれにおいて他のノイズソースが存在する可能性があり、他のアプローチ及び／又は追加のアプローチがこれらのノイズソースに対処するために用いられうる。
【００５２】
差動画素測定回路４０は、有利には、時系列信号を処理するデルタシグマ方法の背後にある理論の一部の要素を、指紋画像のようなリモート形状の測定のためのシステムの設計に適用するリモート形状測定を提供する。結果として生じる指検出デイバス２０は、標準的な短距離形状画像化システムと比べてコスト及び複雑さへの低い影響で上述のリモート形状をより正確に測定するための特性を呈する。
【００５３】
当業者に理解されるように、差動画素測定回路４０を含む指検出デバイス２０は、例えば、真の平衡差動ノイズ相殺と、固有空間周波数補償と、大きな共通モード信号の固有相殺と、指検出デバイスの帯域幅及びダイナミックレンジの効率的な使用とを提供しうる。指検出画素アレイ３０内の各指検出画素３１で信号を測定するのではなく、差動画素測定回路４０は同じ時点での隣接画素間の差分を測定する。隣接画素３１は、典型的な５００ｐｐｉセンサについて０画素〜６画素のいずれかの間隔を有する画素であり、典型的な隆線及び谷を画像化する。一部の実施形態では、差動測定回路４０は１つおきの画素の間の差分を測定してもよいし、２つおきの画素間の差分を測定してもよいし、他の値でもよい。従って、測定される画素間デルタは、時間領域デルタシグマ処理で典型的に測定される時間デルタではなく空間デルタである。測定された画素間デルタは差動画素測定回路４０を通じて処理され、画像処理回路５１を介して画素間デルタを統合することによってダウンストリームにおいて元の形状画像が再構築される。
【００５４】
ここで、図８をさらに参照して、１次元アレイの指検出画素３０'と空間デルタシグマ測定を実装する差動画素測定回路４０'とを含む指検出デバイス２０'の一部の実施形態を説明する。時間領域デルタシグマ処理は典型的に、１ビットＡＤ変換器と変動時間サンプルレートとの使用を含む。差動画素測定回路４０'は隣接する指検出画素３１'との間に結合された差動増幅器４１'を含む。
【００５５】
指検出画素アレイ３０内の指検出画素３１間の差分の測定は、十分に平衡された差動測定となるように設計され、共通モード信号とノイズ排除特性とが典型的にこのスタイルの測定に関連する。その後、差動画素測定は、画素センサにおける時間ノイズ及び外部干渉の相殺を提供するとともに、拡散場測定に固有の大きな共通モード信号を抑制する。結果として生じる差分信号は後続の処理のために有用なレベルに増幅されうる。
【００５６】
場拡散処理の固有空間ローパスフィルタリング特性は、ユーザの指２１が指検出画素アレイ３０内の任意の２つの隣接する指検出画素３１間に誘導しうる差動信号のサイズを制限しうることに留意されたい。制限よりも大きな任意の測定された信号差分は有用なデータを損失することなくクリッピングされうる。なぜなら、これらの大きな差分は典型的にユーザの指２１の本当の形状を表現できず、それ故、偽造でありうるからである。
【００５７】
ここで、図９をさらに参照して、指検出デバイス２０は指検出画素の２次元アレイ３０を含む。より具体的に、指検出画素アレイ３０は指検出画素３１の行と列とを含む。よって、ユーザの指２１に関する情報の完全な集合を得るために、水平方向と垂直方向との両方において画素間差分を測定することが有益でありうる。これを実現するために、差動画素測定回路４０は、各行において隣接する指検出画素３０の間にある差動増幅器４１と、各列において隣接する指検出画素の間にある差動増幅器とを含む。これは、ノイズを低減するために用いられうる指検出デバイス２０に冗長性を追加する。最終的な統合画像における各指検出画素３１の値は、例えば、画像生成回路５１を用いて指検出画素アレイ３０を通るいくつかの異なる「パス」の１つに沿って統合することによって算出されうる。当業者に理解されるように、複数のパスの結果を統合することによって、よりロバストな結果が生成されうる。複数のパスの使用は後述される。２次元差分測定について、画素電圧の直接測定が行われる場合、又は１次元測定が行われる場合と比較して、約２倍の測定が実行されることに留意されたい。例えば、ノイズを抑制し、精度を向上するために追加の測定が用いられうる。
【００５８】
ここで、図１０ａ〜図１０ｃを参照して、ユーザの指の画像を説明する。図１０ａは標準的な指検出デバイスで作られたユーザの指の画像を説明するが、図１０ｂ、図１０ｃはそれぞれ、同じユーザの指に関して測定された垂直方向における画素間差分と水平方向における画素間差分とを表すユーザの指の画像を説明する。差分画像では、グレイは隣接画素が小さい差分を有するか差分を有さないエリアを表し、白は正の差を表し、黒は負の差を表す。
【００５９】
しかし、上述のように、各差分測定は別個の差動増幅器によって実行されるものとして表される。このアプローチが用いられうる間に、異なる画素からの信号を少数の差動増幅器のバンクに切り替えることによって指検出画素アレイの測定を実装することが望ましいかもしれない。差動画素測定回路を用いて経済的かつ信頼できる指検出デバイスを構築するために、指検出画素３１のぞれぞれのもとで可能な限り小さな回路を追加することが望ましいかもしれない。
【００６０】
ここで図１１及び図１２を参照して、例えば電界検出画素により生成されるもののような、非常に高いインピーダンス信号についての別に実施形態において、差分増幅段４２''を規定する平衡差動トランジスタペアの片側を各指検出画素３１''が含む分離差動増幅設計が用いられる。スイッチング回路４３''は、異なる画素間測定を行うために、異なる時刻に異なる構成で差動ペアとして動作するようにこれらのトランジスタを相互接続する。言い換えると、差動画素測定回路４０''は平衡される。
【００６１】
個別の差動増幅段４２''は各指検出画素３１''の各指検知電極３２''に結合される。各差動増幅段４２''は実例では、例えばアナログトランジスタの形式である。
【００６２】
スイッチング回路４３''は、指検出画素３１''の隣接ペアについて差動構成において差動増幅段４２''の個別のペアを選択的に結合する。上述のように、隣接画素３１''は例えば典型的な５００ｐｐｉセンサについて０画素から６画素のいずれかの間隔で配された画素であってもよく、典型的な隆線及び谷を画像化する。
【００６３】
スイッチング回路４３''は２つの画素バス４４ａ''、４４ｂ''と、行内の指検出画素３１''を差動トランジスタ段４１''に相互接続するために必要な様々な構成にバスが切り替わることを可能にする行ごとのバススイッチ４５''のバンクとを含む。当業者に理解されるように、スイッチング回路４３''はまた、各指検出画素３１''に結合されたアナログスイッチングトランジスタ４６''の形式の個別のアナログスイッチを含む。バスの２つの集合４４ａ''、４４ｂ''への指検出画素３１''の交互接続により、同じ行にある２つの隣接画素３１''が、平衡差動ペアとして一緒に接続されることが可能になる。差動増幅器の形式で説明される出力段４８''は、スイッチング回路４３''に結合される。測定された信号、すなわち測定された画素間差動測定は、出力段４８''から出力される。
【００６４】
２つだけの指検出画素３１''が説明されるが、行内の別の指検出画素が追加されてもよく、いくつかの行の指検出画素も含まれてもよいことが理解されるべきである。当業者に理解されるように、指検出画素の各行は自身に関連するバス、スイッチバンク及び増幅器を有しうる。
【００６５】
画像生成回路５１''は差動測定回路４０''に結合され、より具体的には出力段４８''に結合されうる。画像生成回路は指検出画素アレイ３０''の行と列との両方に沿った指検出画素３１''の隣接ペアについての画素間測定結果に基づいて合成指画像を生成するように構成されうる。画素の各行を表す個別の出力段４８''は、例えば合成指画像を生成するために統合されうる。当業者に理解されるように、他の合成指画像技術が用いられてもよい。
【００６６】
ここで図１３ａ〜図１３ｆを参照して、本発明の実施形態に従う指検出画素３０''のアレイ上の差動画素電圧のすべてを順次に読み出すための指検出デバイスを用いたスキャンシーケンスを説明する。指検出画素アレイは説明的に８×８の指検出画素アレイである。このスキャンシーケンスは、上述のタイプの８行増幅器／スイッチバンク構造が存在し、１つが各画素行に関連している場合を想定する。さらに、これらの増幅器は並列に動作でき、高々８つの差動画素測定結果が各スキャンステップの間に同時に実行されうる場合を想定する。図１３ａ〜図１３ｆの各図はスキャンステップを表し、アレイ内のどの指検出画素が異なって接続され測定されるかを説明する。濃いドット７２''と薄いドット７３''とを相互接続する黒線７１''は一緒になって差動ペアに接続される画素を示し、濃いドットと薄いドットとはそれぞれ個別のバスに結合される。当然ながら、測定冗長度の変更を含んでもよく、結果としてノイズ低減効果を向上しうるその他のシーケンスが用いられてもよい。
【００６７】
さらに、上述のバス・スイッチ構成は、指検出画素を差動増幅構成に相互接続するために用いられうる幅広い範囲のバス・スイッチ構成の例である。例えば、当業者に理解されるように、指検出画素の下にあり、画素のアナログスイッチを列電流シンクに相互接続する二重バスは、サポートされうるスキャンシーケンスにおける柔軟性低下の犠牲のもとで、複雑さが低減したスイッチバンクを有する単一バスに低減されてもよい。
【００６８】
多くの場合に、差動画素測定データはユーザの指の形状を実際に再構築することなく、その生の形式で直接に（又はわずかな修正／拡張だけで）用いられうる。再び図１０ａ〜図１０ｃを参照して、指紋の隆線のエッジは画素差分データの画像表現に明確に表れている。しばしば、この情報はこの形式で非常に有用である。例えば、指検出画素アレイがユーザの指に沿って機械的に移動する指検出デバイスにおいて、データストリームのいくつかのフレームからの差動画素データは、指検出画素アレイに関するユーザの指オブジェクトの移動を推定するために用いられうる。このタスクに典型的に用いられる相関推定方法は差動画素データに含まれるエッジ情報の使用を効率的にしうる。第２の例では、一部のタイプの指検出デバイスは、隆線パターンの領域方向の抽出及びマッチングに依存する。
【００６９】
ここで、図１４ａ及び図１４ｂをさらに参照して、この例の場合に、指紋の隆線配向ベクトル場は差動画素測定結果から直接に容易に抽出されうる。隆線方向ベクトルのそれぞれの信頼レベルはベクトルの明度によって示され、濃いベクトルは高い信頼レベルであり、薄いベクトルは低い信頼レベルである。垂直画素差分及び水平画素差分から抽出された配向データを組み合わせることによって、完全な高信頼隆線配向マップが生成されうる。
【００７０】
リモート形状検出の多くの実際の実装は再生される形状の空間周波数成分のすべてを使用しなくてもよい。パターン認識を実行する多くの指検出デバイスでは、対象のパターンは制限された空間周波数帯内の情報に含まれてもよい。当該帯域外、すなわち当該帯域よりも上と下との両方の空間周波数は、パターン認識システムへのノイズを構成するかもしれず、典型的にフィルタリング又は他の手段によって除去される。例えば、指紋パターンマッチングにおいて、皮膚紋理周波数よりも大幅に低い又は大幅に高い空間周波数を有する情報は認識を妨げる。これらの用途では、形状画像収集システムは、不要な情報をプロセスの早期に除去し、システムを通じて当該情報を伝達しないことによって単純化されうる。
【００７１】
ここで、図１５及び図１６を参照して、差動画素測定結果から形状情報を再構築する際に、各出力画素の値へ寄与するように統合される画素差分の領域を小さなカーネルに制限することによって、出力画像から低空間周波数が除去されうる。カーネルサイズよりも大幅に大きい空間波長は、カーネル統合の出力にほとんど影響を有しないかもしれない。カーネル統合を見る１つの方法は、出力値が計算された値である画素への様々な画素差分測定結果を通じたいくつかのパスに従うことによって導出された値を平均化することを検討することである。
【００７２】
カーネルベースの再構築プロセスを表すこの技術は図１６に概略的に表される。画像生成回路５１'''は、所与の指検出画素の近接でなされた差分測定結果から各指検出画素３１'''の値を算出するように構成されたカーネル処理回路５２'''を含む。特に、
画素値＝Σ[W1・ΔoneStepPath(i1)]+[W2・ΔoneStepPath(i2)]+...
である。
【００７３】
重みＷnのアレイは指検出デバイスに個別調整する空間周波数応答を与えうるフィルタリングカーネルを構成する。よって、指検出画素３１'''のアレイは異なる空間周波数に多かれ少なかれ鋭敏でありうる。
【００７４】
各指検出画素の値は、異なる指検出画素トランジスタを用いて異なるタイミングで行われた複数の部分的に冗長な測定結果から算出されるので、固定パターンノイズと時間ノイズとの両方が低減されうる。指検出画素アレイ３０'''の２次元特性は、より多くの測定冗長性を提供することによってこの効果を向上する。
【００７５】
このタイプの画像再構築を使用して、指検出デバイス２０'''は、空間ＤＣ信号（例えば、アレイ信号内の一様なオフセット）が典型的に測定結果に影響しないという意味において、空間ハイパスフィルタのように振る舞う。当業者に理解されるように、指検出画素アレイ３０'''が例えば大きな画像上を移動し、移動するにつれてフレームをキャプチャするならば、指検出画素アレイのサイズよりも小さな波長を有する空間周波数は、フレームの境界にわたる画像を再構築する際に特別な考慮が行われない限り、再構築された画像には表れないかもしれない。
【００７６】
形状再構築プロセスはまた、拡散場を使用したリモート測定に生じる空間周波数固有減衰を補償するように構築されうる。空間周波数に鋭敏な減衰を示すシミュレーションデータについて再び図５を参照して、異なる空間周波数成分を平衡することによって、元のユーザの指を正確に表す出力画像を生成することが望ましいかもしれない。これを実現するために１つの方法は、リモート場伝搬プロセスにおいて一層強く減衰された空間周波数を再強調するために再構築が用いられる統合方法を設計することである。図１６に説明されるアプローチは再構築プロセスにおける空間周波数補償の１つの表現を含む。
【００７７】
形状再構築プロセスの代替の表現が実装されてもよい。代替の表現では、古典的な空間フィルタリング畳み込みカーネルの採用により、ユーザの指情報の、空間周波数調整された再構築を提供する。より具体的に、空間周波数補償を生成する重み付け行列は、計算される画素からの距離に基づきうる。
【００７８】
計算される画素に寄与する各デルタ画素測定結果からの寄与の符号は、一般に、差動測定結果の極性の符号に依存する。水平デルタについて、計算される画素の左への測定結果は、右のものとは反対の符号に蓄積される。垂直デルタについて、計算される画素の上の測定結果は、下にあるものとは反対の符号に蓄積される。
【００７９】
画像構築動作のカーネルは左右の基準及び上下の基準を反映するように符号が修正された水平・垂直空間周波数重み付け行列でありうる。
【００８０】
出力画像の各画素について、
画素値=Σ(Khi,j・Δhi,j)+Σ(Kvi,j・Δvi,j)
である。ここで、Ｋｈは水平画像構築カーネルであり、Ｋｖは垂直画像構築カーネルであり、Δｈは水平デルタの行列であり、Δｖは垂直デルタの行列であり、ｉ及びｊは計算される画素の周りのカーネルのサイズを表す。
【００８１】
当業者に理解されるように、空間周波数が個別調整されたカーネル再構築の向上した効率実装は、一部の環境では冗長部分結果計算を最小化するように高速フーリエ変換スタイルの算術を用いることによって達成されうる。
【００８２】
元のユーザの指２１'''の形状を算出するためにマルチパスを用いることによって（又は空間フィルタ表現の代替の実装を用いることによって）、個別の差分測定結果におけるノイズの影響は低減されうる。抑制されるべきノイズ信号の特性に依存して、線形フィルタリングと非線形フィルタリングとの両方が有利には使用されうる。
【００８３】
再び図１４ａ及び図１４ｂを参照して、例えば指紋のような強い線形パターンの配向は、デルタ画素情報から直接に算出されうる。差分測定結果からやはり導出されうるパターンの空間周波数情報とともに、当該方向情報は、非対称カーネル形状再構築フィルタとしてカーネルフィルタリング回路５２'''を配向するために用いられうる。このようなフィルタは強く配向されたテクスチャを有するパターンについて大幅なノイズ除去と画像品質向上とを提供しうる。
【００８４】
当業者に理解されるように、指検出デバイス２０は、有利には指検出画素アレイ３０から遠くに離れた位置にあるユーザの指から指紋を読み取る。これにより、専用パッケージングによる不都合と機械的統合による問題とを軽減しうる、複数の異なる機械的パッケージング及びホストデバイス統合アプローチが可能となる。
【００８５】
ここで図１７をさらに参照して、ＩＣパッケージング分野において、これらのアプローチはオーバーモールドＩＣパッケージを含んでもよく、これは指検出画素アレイの上に開口を有しない標準的な成形パッケージを有する比較的低コスト、高歩留りな指紋センサＩＣのパッケージングである。説明的に、指検出デバイス２０''''は、指検出画素アレイ３０''''の上にあるオーバーモールド５３''''と、指駆動電極３２''''と、ボンディングワイヤ５４''''とを含む。カラー被覆層５５''''はオーバーモールド５３''''の上にあり、表面透明被覆層５６''''はカラー被覆層の上にある。オーバーモールド５３''''、透明被覆層５５''''及びカラー被覆層５６''''の厚さは例えば１００〜９００マイクロメートルの範囲に含まれうる。これは、指検出画素アレイの上に現在使用されている特別な薄い被覆の必要性を低減し、標準的な成形コンパウンドに置き換える。また、これは、これらのセンサに関連する特別な製造・処理装置及び実務を低減しうる。
【００８６】
ここで図１８を更に参照して、別のアプローチは例えば標準的なプッシュボタンに直接に指検出デバイス２０'''''を直接成形することを含む。説明的に、フリップチップアンダーフィル５７'''''は指検出画素アレイ３０'''''によって支持され、バックフィル５８'''''は指検出画素アレイ３０'''''の側面及び下方を囲む。ボンディングワイヤ５４'''''はバックフィル５８'''''を通じて結合する。相互接続基板５９'''''、例えばキャプトン基板は、フリップチップアンダーフィル５７'''''の上にあり、部分的に指駆動電極３２'''''の上にある。オーバーモールドは指検出デバイス２０'''''の長さ方向に沿って相互接続基板５９'''''の上に支持される。フィルム上面層６４'''''はオーバーモールド５３'''''によって支持される。指検出デバイス２０'''''の上に成形されたプラスチック材料の標準的な厚さで動作しうる指検出デバイス２０'''''は成形キーキャップの一体部分として成形されてもよく、現在のセンサでは比較的難しいものである。
【００８７】
さらに、本明細書で説明される指検出デバイス２０は標準的なラミネート識別（ＩＤ）カードに組み込まれてもよい。スマートカード及びＲＦ−ＩＤカード製造に用いられる標準的なラミネーションを通じてユーザの指を画像化できる指検出デバイスは、標準的な低コストカード組立プロセスを用いて、これらのカードに経済的に組み込まれてもよい。
【００８８】
さらに別のアプローチは、ケースの外側に貫通することなくホストデバイスのケース又は筐体の下に指検出デバイス２０を搭載することを含む。指検出デバイス２０はケースプラスチックを通じて指紋を読み取る。以下の表１はホストデバイスの様々な筐体又は外部構造の下に位置する指検出デバイスについて画像化総距離を示す。
【００８９】
【表１】
2013541773.tif 000003
【００９０】
方法の側面は、指を検出する方法を対象とする。本方法は、それぞれが指検出電極を備える複数の指検出画素のアレイに隣接するユーザの指を受けることを含む。本方法はまた、ユーザの指を通じた駆動信号を指駆動電極を介して指検出画素のアレイに結合することを含む。本方法はまた、指検出画素のアレイに結合された差動画素測定回路を用いて指検出画素の隣接ペアについて複数の画素間差分測定結果を生成することを含む。
【００９１】
当業者に理解されるように、本明細書に記載される回路はハードウェアだけのもの、ハードウェアとソフトウェアとの組み合わせ、又はプロセッサで実行されるコンピュータ実行可能命令を含みうる。一部の実施形態では、２つ以上のプロセッサが用いられてもよく、例えばホストプロセッサで、処理がこれらのプロセッサで分散されてもよい。当業者に理解されるように、他の処理及びハードウェア／ソフトウェア構成が用いられてもよい。
【００９２】
前述の説明及び関連する図面に提示された示唆の利益を有する当業者は、本発明の多くの変形及び他の実施形態を思いつくだろう。従って、本発明は説明された特定の実施形態に限定されず、変形及び実施形態が添付の特許請求の範囲に含まれることが意図されることが理解される。
【図１】
2013541773.tif 000004
【図２】
2013541773.tif 000005
【図３】
2013541773.tif 000006
【図４】
2013541773.tif 000007
【図５】
2013541773.tif 000008
【図６】
2013541773.tif 000009
【図７Ａ】
2013541773.tif 000010
【図７Ｂ】
2013541773.tif 000011
【図７Ｃ】
2013541773.tif 000012
【図８】
2013541773.tif 000013
【図９】
2013541773.tif 000014
【図１０Ａ】
2013541773.tif 000015
【図１０Ｂ】
2013541773.tif 000016
【図１０Ｃ】
2013541773.tif 000017
【図１１】
2013541773.tif 000018
【図１２】
2013541773.tif 000019
【図１３Ａ】
2013541773.tif 000020
【図１３Ｂ】
2013541773.tif 000021
【図１３Ｃ】
2013541773.tif 000022
【図１３Ｄ】
2013541773.tif 000023
【図１３Ｅ】
2013541773.tif 000024
【図１３Ｆ】
2013541773.tif 000025
【図１４Ａ】
2013541773.tif 000026
【図１４Ｂ】
2013541773.tif 000027
【図１５】
2013541773.tif 000028
【図１６】
2013541773.tif 000029
【図１７】
2013541773.tif 000030
【図１８】
2013541773.tif 000031
【国際調査報告】
2013541773.tif 000032
2013541773.tif 000033